(57)【要約】【課題】品質の管理が容易であり、かつ、施工コストの増大を抑えることができる高外断熱性能を有した防水構造を提供する。【解決手段】防水構造１では、外部床２の周縁部２ａを除く領域２ｂにおいて、防水シート２０を防水鋼板１４によって接着すると共に、外部床２の周縁部２ａからパラペット３の内側面３ａにかけて、防水シート２０を接着剤１７によって接着する。このように、外部床２からパラペット３の内側面３ａにかけての帯状の狭い領域のみにおいて密着工法を採用すると共に、大部分（領域２ｂ）において絶縁工法を採用し、これにより、全体として品質の管理を容易にして、品質の低下を防止し、さらに複数層の断熱材を固定する。さらには、天候の影響を受けにくくし、また、外部床２およびパラペット３のすべての領域で絶縁工法を採用する場合に比して材料費を抑えることにより、施工コストの増大を抑える。【選択図】図１２
2013036321.tif 000002
【特許請求の範囲】
【請求項１】
外部床および外部床の周縁部に沿って立ち上がるパラペットに防水シートが設けられた防水構造であって、
前記防水シートが、
前記外部床の周縁部を除く領域においては、前記外部床に載置されビスで固定された複数の固定具によって接着され、
前記外部床の周縁部から前記パラペットの内側面にかけては、接着剤によって接着されたことを特徴とする防水構造。
【請求項２】
前記接着剤は、粘着剤であることを特徴とする請求項１記載の防水構造。
【請求項３】
前記パラペットが、鉄骨梁に沿って起立した外壁パネルからなり、
前記外部床が、前記鉄骨梁に架け渡された複数のＡＬＣパネルと、前記複数のＡＬＣパネル間に形成された目地部および前記外壁パネルと前記ＡＬＣパネルとの間の空隙に充填された目地モルタルと、からなる床下地を備え、
前記ビスが、前記ＡＬＣパネルの内部における補強鉄筋で囲まれた領域に設けられたことを特徴とする請求項１または２記載の防水構造。
【請求項４】
断熱材押さえ板の前記パラペット側の端部には勾配が設けられ、前記パラペットの内面に沿う集水溝が形成されたことを特徴とする請求項１〜３のいずれか一項記載の防水構造。
【請求項５】
前記断熱材押さえ板の目地部上部に目地テープが貼られたことを特徴とする請求項４記載の防水構造。
【発明の詳細な説明】
【技術分野】
【０００１】
本発明は、外部床および外部床の周縁部に沿って立ち上がるパラペットの防水構造に関するものである。
【背景技術】
【０００２】
従来、ベランダや陸屋根等の略水平な外部床に防水シートを用いて防水層を形成する防水構造が知られている。この防水シートは、例えば、塩化ビニル等の軟質の合成樹脂素材からなっている。防水層を形成する際の代表的な工法として、次の２種類の工法が挙げられる。
【０００３】
そのひとつの工法は、特許文献１に記載されるように、防水シートを接着剤によって全面的に床下地に接着する工法である。この工法は、密着工法または接着工法と呼ばれる。もうひとつの工法は、特許文献２に記載されるように、防水シートと同一素材のコーティング層を表面に有する円板状の固定具を用い、この固定具を床下地上に点状に配置し、この固定具に対して防水シートを接着する工法である。防水シートは、熱による融着または溶剤による溶着によって固定具に接着される。この工法は、絶縁工法または機械式固定工法と呼ばれる。
【先行技術文献】
【特許文献】
【０００４】
【特許文献１】特開２００７−２３１０４４号公報
【特許文献２】特開２００７−１５４４６２号公報
【発明の概要】
【発明が解決しようとする課題】
【０００５】
しかしながら、特許文献１に記載の密着工法では、工程が天候の影響を受けやすいため、工程の管理が難しく、施工コストの増大を招きかねない。また、接着剤を床下地の全面に塗布するため、塗布量のムラが発生しやすく、品質の管理が難しいといった問題もある。一方、特許文献２に記載の絶縁工法では、天候の影響を受けにくく、品質も比較的安定するが、接着剤に代えて上記の固定具を用いるため、その分、材料費が高くなるといった問題がある。また、外部床の周縁部やその周縁部から立ち上がるパラペットが設けられる場合には、周縁部やパラペットの部分に固定具が配置されるよう長尺の固定具を用いる必要があり、材料費が更に高くなってしまう。その場合、施工の手間もかかってしまう。
【０００６】
本発明は、品質の管理が容易であり、かつ、施工コストの増大を抑えることができる防水構造を提供することを目的とする。
【課題を解決するための手段】
【０００７】
本発明に係る防水構造は、外部床および外部床の周縁部に沿って立ち上がるパラペットに防水シートが設けられた防水構造であって、防水シートが、外部床の周縁部を除く領域においては、外部床に載置されビスで固定された複数の固定具によって接着され、外部床の周縁部からパラペットの内側面にかけては、接着剤によって接着されたことを特徴とする。
【０００８】
この防水構造によれば、外部床の周縁部を除く領域においては、防水シートが固定具によって接着される。また、外部床の周縁部からパラペットの内側面にかけては、防水シートが接着剤によって接着される。このように、外部床からパラペットの内側面にかけての狭い領域のみにおいて密着工法を採用しているので、全体として品質の管理が容易であり、品質の低下を防止することができる。さらには、天候の影響を受けにくく、また、外部床およびパラペットのすべての領域で絶縁工法を採用する場合に比して材料費を抑えることができるので、施工コストの増大を抑えることができる。
【０００９】
ここで、接着剤は、粘着剤であることが好ましい。この場合、粘着性のある粘着剤を用いて防水シートを接着することとなるため、例えば、断熱材押さえ板とビスとの間に段差が生じている場合や、地震時に両者の間にズレが生じた場合であっても、接着性能を確実に維持することができる。
【００１０】
ここで、パラペットが、鉄骨梁に沿って起立した外壁パネルからなり、外部床が、鉄骨梁に架け渡された複数のＡＬＣパネルと、複数のＡＬＣパネル間に形成された目地部および外壁パネルとＡＬＣパネルとの間の空隙に充填された目地モルタルと、からなる床下地を備え、ビスが、ＡＬＣパネルの内部における補強鉄筋で囲まれた領域に設けられたことが好ましい。
【００１１】
この防水構造では、外壁パネルが鉄骨梁に沿って起立しており、外部床の床下地は、鉄骨梁に架け渡された複数のＡＬＣパネルと、これらの間の目地部および外壁パネルとの間の空隙に充填された目地モルタルと、からなる。ここで、固定具を固定するためのビスが、目地モルタルや、ＡＬＣパネル内の補強鉄筋で囲まれていない領域に設けられた場合、例えば目地モルタルやＡＬＣパネルの割れ等が生じて所定の機能を発揮できないおそれがある。しかし、上記の防水構造によれば、ビスは、ＡＬＣパネルの内部における補強鉄筋で囲まれた領域に設けられるので、ビスが適正に機能し、固定具および防水シートが確実に固定される。また、外部床の周縁部においては、防水シートは、固定具が用いられることなく、接着剤により確実に固定される。よって、品質を安定させることができる。
【００１２】
また、断熱材押さえ板のパラペット側の端部には勾配が設けられ、パラペットの内面に沿う集水溝が形成されたことが好ましい。この場合、断熱材押さえ板の端部を加工するだけで容易に集水溝を形成でき、雨水等を効果的に集水し外部に排出することができる。
【００１３】
また、断熱材押さえ板の目地部上部に目地テープが貼られたことが好ましい。この場合、断熱材押さえ板の目地部の隙間や段差が目地テープで覆われることとなるため、防水シート上を人が歩行した場合重量物を載置した際に、断熱材押さえ板の角部で防水シートを傷つけることを防止することができ、防水性能を維持することができる。
【発明の効果】
【００１４】
本発明によれば、品質の管理が容易であり、かつ、施工コストの増大を抑えることができる。
【図面の簡単な説明】
【００１５】
【図１】本発明の第１実施形態に係る防水構造の断面図である。
【図２】第２実施形態に係る防水構造の断面図である。
【図３】第３実施形態に係る防水構造の断面図である。
【図４】図３の要部を拡大して示す断面図である。
【図５】図３のＶ−Ｖ線に沿っての断面図である。
【図６】第４実施形態に係る防水構造の断面図である。
【図７】図６のＶＩＩ−ＶＩＩ線に沿っての断面図である。
【図８】第５実施形態に係る防水構造の断面図である。
【図９】図８のＩＸ−ＩＸ線に沿っての断面図である。
【図１０】第６実施形態に係る防水構造の断面図である。
【図１１】図１０のＸＩ−ＸＩ線に沿っての断面図である。
【図１２】第７実施形態に係る防水構造の断面図である。
【図１３】変形例に係る防水構造の平面図である。
【図１４】従来の防水構造の断面図である。
【発明を実施するための形態】
【００１６】
以下、本発明の実施形態について、図面を参照しながら説明する。なお、図面の説明において同一要素には同一符号を付し、重複する説明は省略する。また、各図面は説明用のために作成されたものであり、説明の対象部位を特に強調するように描かれている。そのため、図面における各部材の寸法比率は、必ずしも実際のものとは一致しない。
【００１７】
図１は、第１実施形態に係る防水構造１の断面図である。図１に示すように、防水構造１は、ベランダや陸屋根等の建物の外部床２および外部床２の周縁部２ａに沿って立ち上がるパラペット３に、防水シート２０が設けられた構造である。防水構造１の防水シート２０は、外部床２の全面および外部床２の周縁からパラペット３の内側面３ａにおける所定の高さまでを覆うことにより、外部床２の防水層を形成している。
【００１８】
外部床２は、鉄骨梁９によって支持された床下地４と、床下地４上で２層に敷設された断熱材１１，１２と、断熱材１２上に敷設された断熱材押さえ板１３と、を有している。外部床２は、パラペット３近傍の帯状の領域である周縁部２ａと、周縁部２ａの内側の領域２ｂと、からなる。外部床２全体で見れば、周縁部２ａは環状をなしており、領域２ｂは、周縁部２ａによって囲まれている。
【００１９】
床下地４は、平坦な面を有しており、外部床２の自重および外部床２に作用する積載荷重等を受けて鉄骨梁９を含む架構に伝達するものである。床下地４は、例えばＨ形鋼からなる鉄骨梁９に架け渡された複数のＡＬＣ（軽量気泡コンクリート）パネル６と、複数のＡＬＣパネル６間に形成された目地部に充填された目地モルタル７と、パラペット３を構成する外壁パネル１０とＡＬＣパネル６との間の空隙に充填された目地モルタル８と、からなっている。ＡＬＣパネル６は、長方形板状をなしている。ＡＬＣパネル６の内部の略直方体状の領域６ａ（図１の二点鎖線参照）が、上下２段に配設された井桁状の補強鉄筋で囲まれている。
【００２０】
断熱材１１，１２は、建物内の温熱環境を改善するためのものである。断熱材１１，１２のそれぞれは、板状に成形された発泡プラスチック系の断熱材である。断熱材１１，１２は、例えば、フェノールフォーム、ポリスチレンフォーム、ポリエチレンフォーム等によって形成される。断熱材１１，１２は、床下地４に対して略全面的に敷設されている。
【００２１】
断熱材押さえ板１３は、断熱材１１，１２を押さえると共に、防水シート２０を固定するための下地となるものである。断熱材押さえ板１３としては、各種の板材を用いることができる。例えば、断熱材押さえ板１３として、集成材（ＧＬ）、単板積層材（ＬＶＬ）、合板（ＰＷ）、構造用合板、配向性ストランドボード（ＯＳＢ）、パーティクルボード（ＰＢ）、低密度パーティクルボード（ＬＰＢ）、ハードボード（ＨＢ）、中密度ファイバーボード（ＭＤＦ）、インシュレーションボード（ＩＢ）、珪酸カルシウム板、スレート板、スラグ石膏ボード、石膏パーティクルボード（ＧＰＢ）、木片セメント板（ＣＰＢ）、硬質木片セメント板（センチュリーボード）、パルプ混入セメント板、木毛セメント板などを用いることができる。断熱材押さえ板１３としては、粘りがあり、面剛性の高い材料が適している。これは、負圧が作用するなどして断熱材押さえ板１３に対し上向きの力が作用した場合に、ビスによって固定された部分が破壊されること（ビス抜け）を抑制できるようにするためである。断熱材押さえ板１３は、断熱材１２の上面に略全面的に敷設されている。
【００２２】
パラペット３は、周縁部２ａの下方に位置する鉄骨梁９に沿って起立した外壁パネル１０からなる。外壁パネル１０は、例えばＡＬＣパネルである。外壁パネル１０は、外部床２の上方に一定の長さ突出している。
【００２３】
外部床２およびパラペット３に設けられた防水シート２０は、例えば、塩化ビニルシート、加硫ゴムシート、アスファルトシート、オレフィンシート等からなる。
【００２４】
本実施形態の防水構造１にあっては、外部床２の周縁部２ａを除く領域２ｂにおいては、断熱材押さえ板１３上に載置された複数の防水鋼板（固定具）１４によって、防水シート２０が接着されている。また、外部床２の周縁部２ａからパラペット３の内側面３ａにかけては、接着剤１７によって、防水シート２０が接着されている。すなわち、防水構造１では、防水シート２０が設けられる領域の一部分において密着工法を採用すると共に、他の部分において絶縁工法を採用している。
【００２５】
複数の防水鋼板１４は、断熱材押さえ板１３上で水平方向に互いに離間して配置され、固定ビス１６によって外部床２に固定されている。各防水鋼板１４は、円板状の鋼板の表面に防水シート２０と同一素材の塩ビコーティングが施されてなり、中央に固定ビス１６を挿通する為のビス挿通穴が設けられている。ビス挿通穴の周囲には、固定ビス１６の頭部（扁平な円錐形）のテーパに対応する凹部が形成され、防水鋼板１４の上面と固定ビス１６の頭部の上面とが略面一となるように構成されている。防水鋼板１４は、溶剤を用いた溶着もしくは加熱による融着によって防水シート２０を表面に接着し、これによって防水シート２０を固定する。防水シート２０は、防水鋼板１４，１４同士間においては、断熱材押さえ板１３との間に隙間を有するいわゆる浮かし貼りの状態となる。なお、防水鋼板の形状は、円板状に限らず、例えば長尺状で所定のピッチ（例えば１００〜５００ｍｍ）でビス挿通穴が形成されたものを、所定のピッチで平行に配置し、固定してもよい。
【００２６】
防水鋼板１４は、外部床２のうち、ＡＬＣパネル６内部の補強鉄筋で囲まれた領域６ａの上方に固定されている。防水鋼板１４を固定するための固定ビス１６は、ＡＬＣパネル６内の補強鉄筋で囲まれた領域６ａに設けられている。すなわち、固定ビス１６の先端は、領域６ａに到達している。これにより、固定ビス１６を打ち込んだ際、その衝撃力によりＡＬＣパネル６に割れ等が生じるといった事が防止されており、防水鋼板１４は、固定ビス１６によって確実に固定されている。
【００２７】
接着剤１７は、断熱材押さえ板１３の周縁部およびパラペット３（外壁パネル１０）の内側面３ａと、防水シート２０との間に塗布されて、防水シート２０を接着・固定する。言い換えれば、接着剤１７は、防水シート２０の裏面側において、パラペット３が立ち上がる隅部近傍の平坦部分および鉛直部分に配置される。接着剤１７としては、粘性を有する接着剤、すなわち粘着剤が用いられる。例えば、接着剤１７としては、ネオプレーンゴム系、ニトリルゴム系、アクリルゴム系、ブチルゴム系、シリコンゴム系、ウレタンゴム系、ゴムアスファルト系などの接着剤を用いることができる。なお、接着剤１７として、粘性を有しない（硬化する）接着剤、例えば、エポキシ系、アクリル系、ウレタン系の接着剤を用いてもよい。
【００２８】
パラペット３の内側面３ａには、外部床２の上面から所定の高さ位置において、横方向に延在する溝部３ｂが形成されている。防水シート２０は、この溝部３ｂの近傍まで敷設される。防水シート２０の上端部２０ａは、内側面３ａおよび溝部３ｂに沿って配置された防水鋼板１８によって接着・固定される。この防水鋼板１８は、防水鋼板１４と同様の材料からなっており、溝部３ｂにおいて、ビス１９によって外壁パネル１０に対して固定される。
【００２９】
以上説明した本実施形態の防水構造１によれば、外部床２の周縁部２ａを除く領域２ｂにおいては、防水シート２０が防水鋼板１４によって接着され、外部床２の周縁部２ａからパラペット３の内側面３ａにかけては、防水シート２０が接着剤１７によって接着される。このように、外部床２からパラペット３の内側面３ａにかけての帯状の狭い領域のみにおいて密着工法を採用しており、大部分（領域２ｂ）において絶縁工法を採用しているので、全体として品質の管理が容易になっており、品質の低下が防止されている。さらには、天候の影響を受けにくく、また、外部床２およびパラペット３のすべての領域で絶縁工法を採用する場合に比して材料費が抑えられ、よって、施工コストの増大が抑えられている。
【００３０】
また、接着剤１７は、粘着剤である。よって、粘着性のある粘着剤を用いて防水シート２０を接着することとなるため、断熱材押さえ板１３と固定ビス１６との間の段差や、地震時に両者の間にズレが生じた場合であっても、接着性能が確実に維持される。
【００３１】
ここで、仮に防水鋼板１４を固定するための固定ビス１６が、目地モルタル８や、ＡＬＣパネル６内の補強鉄筋で囲まれていない領域（図１の領域Ａ）に設けられた場合、例えば目地モルタル８とＡＬＣパネル６のずれ等が生じて所定の機能を発揮できないおそれがある。しかし、防水構造１によれば、固定ビス１６は、ＡＬＣパネル６の内部における補強鉄筋で囲まれた領域６ａに設けられるので、固定ビス１６が適正に機能し、防水鋼板１４および防水シート２０が確実に固定される。また、外部床２の周縁部２ａにおいては、防水シート２０は、固定ビス１６を必要とする防水鋼板１４が用いられることなく、接着剤１７により確実に固定される。よって、品質を安定させることができる。
【００３２】
例えば、図１４に示すような従来の防水構造１００では、防水シート１２０を固定するにあたり、防水鋼板１１４を固定するための固定ビス１１６を領域Ａに打てないため、固定ビス１１６がパラペット３から遠くならざるを得ず、結果として防水鋼板１１４の幅が広くなってしまっていた。この場合、材料費の増大は避けられなかった。
【００３３】
また、防水構造１００におけるような材料費の増大を避けるため、ＡＬＣパネルをパラペットに当接するように配置し、固定ビスをパラペット近傍に打つことで防水鋼板を小型化する構造も考えられるが、この場合、剛床固定ができなくなるといった問題がある。
【００３４】
これに対し、防水構造１によれば、領域Ａでは接着剤１７を用いるため、その分、材料費が低減されており、施工コストの増大が抑えられている。
【００３５】
図２は、第２実施形態に係る防水構造１Ａの断面図である。この防水構造１Ａが図１に示した防水構造１と違う点は、断熱材押さえ板１３に代えて、パラペット３側の端部１３ａに勾配が設けられた断熱材押さえ板１３Ａを用いた点である。断熱材押さえ板１３Ａの端部１３ａの厚みすなわち高さは、パラペット３に近づくにつれて漸減している。この防水構造１Ａによれば、防水構造１と同様の作用・効果を得ることができると共に、雨水等を外部床２の周縁部２ａに好適に排水する排水機能をもたせることができる。なお、図２以降の図面においては、目地モルタル７の図示は省略されている。
【００３６】
図３は、第３実施形態に係る防水構造１Ｂの断面図であり、図４は、図３の要部を拡大して示す断面図であり、図５は、図３のＶ−Ｖ線に沿っての断面図である。この防水構造１Ｂが図１に示した防水構造１と違う点は、断熱材１１，１２のパラペット３側に勾配断熱材２１を配置した点と、勾配断熱材２１上に敷設された断熱材押さえ板１３の周縁部１３ｂの浮き上がりを防止する押さえ金物２２を設けた点である。勾配断熱材２１は、断熱材１１，１２と同じ材料からなる。勾配断熱材２１の厚みすなわち高さは、パラペット３から最も遠い部分（図３の右側端部）では断熱材１１および断熱材１２を合わせた高さに等しいが、パラペット３に近づくにつれて漸減している。また、勾配断熱材２１の厚みすなわち高さは、パラペット３に沿う横方向においても漸減している（図５参照）。
【００３７】
押さえ金物２２は、パラペット３の内側面３ａに固定されている。押さえ金物２２は、断面Ｌ字状のアングル材からなる。図４に示すように、押さえ金物２２は、パラペット３の内側面３ａに当接される垂直片２２ａと、垂直片２２ａの端縁に連設されて略水平に延びる水平片２２ｂと、からなる。垂直片２２ａは、内側面３ａと断熱材押さえ板１３の周縁部１３ｂとの間に配置されている。水平片２２ｂは、断熱材押さえ板１３の周縁部１３ｂの裏面側に配置されている。垂直片２２ａは、ビス２３によってパラペット３の内側面３ａに固定され、水平片２２ｂは、断熱材押さえ板１３上から打ち込まれるビス２４によって、断熱材押さえ板１３の周縁部１３ｂと勾配断熱材２１との間で固定される。押さえ金物２２は、パラペット３に沿う横方向に延在してもよいし、ビス２３，２４の位置においてスポットで設けられてもよい。断熱材押さえ板１３の周縁部１３ｂは、押さえ金物２２およびビス２４によって、勾配を有する勾配断熱材２１の上面に沿うようにして下方に屈曲されている。
【００３８】
このような構成により、防水構造１Ｂでは、パラペット３に近づくにつれて下方に傾斜すると共に、パラペット３に沿う横方向においても傾斜した集水溝２６（図５参照）が形成される。防水構造１Ｂでは、断熱材押さえ板１３の端部（周縁部１３ｂや勾配断熱材２１）を加工するだけで容易に集水溝２６を形成できる。
【００３９】
この防水構造１Ｂによれば、防水構造１，１Ａと同様の作用・効果を得ることができる。ここで、パラペット３とＡＬＣパネル６との間の空隙に目地モルタル８が充填される場合、パラペット３に近い部分では、ビスが利きにくいため、断熱材１１，１２および断熱材押さえ板１３の固定が難しいが、防水構造１Ｂによれば、断熱材押さえ板１３の周縁部１３ｂの浮き上がりを防止する押さえ金物２２がパラペット３の内側面３ａに固定されているため、風などによって断熱材押さえ板１３の周縁部１３ｂに負圧がはたらいた場合であっても、押さえ金物２２によって、断熱材押さえ板１３の周縁部１３ｂの浮き上がりが防止される。また、断熱材押さえ板１３や防水シート２０が煽られて破損することを防止できる。さらにまた、図５に示すように、パラペット３に沿う横方向に（図５の右側から左側に向けて）雨水等を集水する機能をもたせ、雨水等を効果的に集水し外部に排出することができる。
【００４０】
図６は、第４実施形態に係る防水構造１Ｃの断面図であり、図７は、図６のＶＩＩ−ＶＩＩ線に沿っての断面図である。この防水構造１Ｃが図３〜図５に示した防水構造１Ｂと違う点は、押さえ金物２２の水平片２２ｂを断熱材押さえ板１３の周縁部１３ｂの表面側に配置した点である。この水平片２２ｂは、ビス２４によって、防水シート２０と断熱材押さえ板１３の周縁部１３ｂとの間で固定される。
【００４１】
この防水構造１Ｃによれば、防水構造１，１Ａ，１Ｂと同様の作用・効果を得ることができる。図７に示すように、パラペット３に沿う横方向に（図７の右側から左側に向けて）雨水等を集水する機能をもたせ、雨水等を効果的に集水し外部に排出することができる。
【００４２】
図８は、第５実施形態に係る防水構造１Ｄの断面図であり、図９は、図８のＩＸ−ＩＸ線に沿っての断面図である。この防水構造１Ｄが図３〜図５に示した防水構造１Ｂと違う点は、押さえ金物２２の垂直片２２ａをパラペット３の内側面３ａと勾配断熱材２１との間に配置した点である。この垂直片２２ａは、勾配断熱材２１の設置前に打ち込まれるビス２３によって内側面３ａに固定される。
【００４３】
この防水構造１Ｄによれば、防水構造１，１Ａ，１Ｂと同様の作用・効果を得ることができる。図９に示すように、パラペット３に沿う横方向に（図９の右側から左側に向けて）雨水等を集水する機能をもたせ、雨水等を効果的に集水し外部に排出することができる。
【００４４】
図１０は、第６実施形態に係る防水構造１Ｅの断面図であり、図１１は、図１０のＸＩ−ＸＩ線に沿っての断面図である。この防水構造１Ｅが図３〜図５に示した防水構造１Ｂと違う点は、押さえ金物２２の水平片２２ｂを断熱材押さえ板１３の周縁部１３ｂの表面側に配置した点と、押さえ金物２２の垂直片２２ａをパラペット３の内側面３ａと勾配断熱材２１および断熱材押さえ板１３の周縁部１３ｂとの間に配置した点である。この垂直片２２ａは、勾配断熱材２１および断熱材押さえ板１３の設置前に打ち込まれるビス２３によって内側面３ａに固定される。
【００４５】
この防水構造１Ｅによれば、防水構造１，１Ａ，１Ｂと同様の作用・効果を得ることができる。図１１に示すように、パラペット３に沿う横方向に（図１１の右側から左側に向けて）雨水等を集水する機能をもたせ、雨水等を効果的に集水し外部に排出することができる。
【００４６】
図１２は、第７実施形態に係る防水構造１Ｆの断面図である。この防水構造１Ｆが図１に示した防水構造１と違う点は、断熱材１１，１２に代えて三層構造の断熱材４１，４２，４３を用いた点、防水鋼板４４を用いた点、および目地テープ５０を用いた点である。
【００４７】
断熱材４１は、ポリスチレンフォームからなる発泡プラスチック系の断熱材であり、後述する断熱材４２，４３と比較して弾性に富む材質となっており、ＡＬＣパネル６および目地モルタル８上に凹凸が存在していても、破壊されることなく凹凸を吸収することができる。断熱材４１は、外部床２に水勾配を形成する機能をも備えており、床下地４の上面の略全面に敷設されている。外部床２の周縁部２ａにおける断熱材４１は、略台形状の断面を有しており、その上面がパラペット３に近づくにつれて下方に傾斜している。具体的には、周縁部２ａにおける断熱材４１の高さは、パラペット３から最も遠い部分では、隣接する断熱材４１の高さに等しく、パラペット３に近づくにつれて漸減している。周縁部２ａ以外の領域における断熱材４１は、周縁部２ａの断熱材４１よりも傾斜が緩やかであり、全体として、図１３に示すように、外部床２に寄棟形状の水勾配が形成されるように構成されている。
【００４８】
断熱材４２，４３は、断熱材１１，１２同様、それぞれ板状に成形された、フェノールフォーム、ポリエチレンフォーム等からなる発泡プラスチック系の断熱材であり、断熱材４１と同等、または断熱材４１よりも高い断熱性能を有する。断熱材４２，４３は断熱材４１の上面の略全面に敷設されている。
【００４９】
断熱材押さえ板１３は、断熱材４３の上面の略全面に敷設されている。断熱材押さえ板１３は、断熱材４１、４２、４３を貫通して先端が床下地４に到達する固定ビス１６で固定されており、断熱材４１、４２、４３は、断熱材押さえ板１３によって、接着剤を用いることなく床下地４に固定されている。
【００５０】
防水シート２０は、断熱材押さえ板１３上面の略全面、パラペット３の内側面３ａ、および、パラペット３の上面にわたって設けられており、周縁部２ａ、内側面３ａ、および、パラペット３の上面の内側部分においては、接着剤１７によって、断熱材押さえ板１３、防水鋼板１４、およびパラペット３に接着されている。また、パラペット３の上端面の外周側部分には、防水鋼板４４が設けられている。防水鋼板４４は、略Ｌ字状のアングル材であり、表面に塩ビコーティングが施されてなる。防水鋼板４４は、パラペット３の上面における接着剤１７が塗布された部分に連続してパラペット３の外周側に延び、パラペット３の外周側の端部で下方に折り曲げられるように設けられている。
【００５１】
また、本実施形態の防水構造１Ｆにあっては、断熱材押さえ板１３の目地部に、周縁部２ａにおける断熱材４２，４３および断熱材押さえ板１３と、それらの内側に隣接する断熱材４２，４３および断熱材押さえ板１３との間に形成される隙間Ｓを覆うように、目地テープ５０が貼られている。すなわち、目地テープ５０は、断熱材押さえ板１３の目地部上部に貼られている。目地テープ５０は、例えばポリエチレン製であり、一方の面には接着剤が塗布されている。
【００５２】
このように、複数の断熱材押さえ板１３の目地部が目地テープ５０で覆われることで、例えば、歩行者や重力物によって防水シート２０の上面に圧力が加わった場合に、断熱材押さえ板１３の角部が防水シート２０を傷つけることを防止することができる。
【００５３】
また、目地テープ５０が貼られていない場合は、複数の断熱材押さえ板１３が互いに伸縮して隙間Ｓの間隔が変化し、防水シート２０に局部的な応力が繰り返し発生して損傷する、いわゆるゼロスパンテンションが発生する可能性があるが、本実施形態の防水構造１Ｆでは、目地テープ５０によって断熱材押さえ板１３間に形成された隙間Ｓが覆われているため、断熱材押さえ板１３の伸縮によって防水シート２０に局部的な応力が発生することが防止でき損傷を回避することができる。
【００５４】
また、目地テープ５０が貼られていない場合は、隙間Ｓに接着剤１７等が溜まることがあり、この接着剤１７に残存する有機溶剤や水分により、防水シート２０が膨潤して膨れ上がるという問題が発生することがあるが、本実施形態の防水構造１Ｆでは、目地テープ５０が隙間Ｓの上部に貼られることによって、隙間Ｓに接着剤１７が溜まらなくなるため、接着剤１７によって防水シート２０が膨れる問題を防止することができる。
【００５５】
さらに、目地テープ５０を隙間Ｓ上に設けることにより、防水シート２０と断熱材押さえ板１３との間に空気が供給されないドーラ―工法を構成することが可能となるため、台風や強風時等における防水シート２０のばたつきが無くなり、振動によって固定ビス１６が抜けたり、固定ビス１６が防水シート２０を突き抜けて漏水したりするといった問題を確実に回避することができる。具体的には、防水構造１Ｆでは、図１２に示すように、台風等による風圧Ｐが発生しても、ＡＬＣパネル６の下方から防水シート２０に進入しようとする空気Ａ１はＡＬＣパネル６によって遮断される。パラペット３のＡＬＣ版間を介して内側面３ａから防水シート２０に進入しようとする空気Ａ３は接着剤１７によって遮断される。パラペット３のＡＬＣ版間を介して断熱材４１，４２，４３および隙間Ｓから防水シート２０に進入しようとする空気Ａ２は目地テープ５０によって遮断される。このように、進入しようとする空気Ａ１〜Ａ３が遮断されるため、防水シート２０と断熱材押さえ板１３との間に完全に空気が入り込まなくなり真空状態を保つため、防水シート２０がばたつく等といった問題を確実に防止することができる。
【００５６】
ところで、従来から、断熱材を多数重ねることが可能な高外断熱工法として機械固定工法（絶縁工法、浮かし貼り工法）が用いられてきたが、この機械固定方法では、例えばパラペット近傍等の周縁部２ａに多くの防水鋼板を用いる必要があり、多大なコストがかかるという問題がある。また、複雑な形状の防水鋼板にシートを溶着することには高い技能を要するという問題もある。
【００５７】
これに対して、上記実施形態の防水構造１，１Ａ〜１Ｆによれば、周縁部２ａにおいて防水鋼板が不要となり、材料コストを抑えることができ、また、専門工が不要な工法とすることができる。
【００５８】
また、上記のような防水鋼板等の固定金具を使わない工法としては、接着剤を用いて断熱材等を接着させる接着工法が挙げられるが、接着工法は、接着剤の管理が難しく、また高外断熱工法を実現できず、機械固定工法と比較して断熱性が低いという点で改善の余地がある。さらに、施工を行う当日に雨等が降ると、接着剤を用いた施工ができなくなるため、施工を中止しなければならないという問題がある。
【００５９】
これに対して、上記実施形態の防水構造１，１Ａ〜１Ｆによれば、ＡＬＣパネル６の上部に、断熱材１１，１２または断熱材４１，４２，４３と断熱材押さえ板１３とが設けられ、断熱材１１，１２または断熱材４１，４２，４３と断熱材押さえ板１３とが固定ビス１６によって床下地４に対して固定されるため、接着剤の管理が容易になるとともに高外断熱工法を実現できる。さらに、一般的には、防水シート２０の施工は、最初に周縁部２ａの施工を行って、その後周縁部２ａ以外の部分の施工を行うが、防水構造１Ｆでは、周縁部２ａ以外の部分においては接着剤を使用せずに施工を行うため、たとえ施工の当日に雨等が降ったとしても、周縁部２ａ以外の部分の施工を行うことにより、施工を中止することなく継続させることができる。
【００６０】
以上、本発明の実施形態について説明したが、本発明は上記実施形態に限られるものではない。例えば、断熱材は、２枚の断熱材１１，１２からなる二層構造や、３枚の断熱材４１，４２，４３からなる三層構造に限られず、１枚の断熱材からなる一層構造や、４枚以上の断熱材からなる複層構造であってもよい。押さえ金物２２を固定するためのビスは、ドリルネジであってもよいし、ナイロンプラグビスでもよい。床下地は、ＡＬＣパネル６からなる場合に限られず、ＰＣ（プレキャストコンクリート）パネルからなってもよい。また、鋼製のデッキプレートや折板屋根や、ＲＣ（鉄筋コンクリート造）建物においてはＲＣスラブ、木造建物においては構造用合板等の木質パネルからなってもよい。
【００６１】
なお、第２〜６実施形態において、押さえ金物２２を断熱材押さえ板１３の周縁部１３ｂに配置した例について説明したが、第２実施形態のように断熱材押さえ板１３の周縁部を屈曲させない形態であり、且つ、断熱材押さえ板１３が所定の粘りと強度を有する場合（例えば、厚さ９ｍｍ以上の構造用合板、厚さ１２ｍｍ以上のＯＳＢ、厚さ９ｍｍ以上のＭＤＦ、厚さ１５ｍｍ以上のパーティクルボード、厚み１２ｍｍ以上の硬質木片セメント板、厚み１２ｍｍ以上のパルプ混入セメント板等）には、押さえ金物２２は必要なく、第１実施形態のように、固定ビス１６のみで断熱材押さえ板１３を固定することができる。
【００６２】
また、第２〜第７実施形態の防水構造１Ａ〜１Ｆでは、周縁部２ａにおいて、断熱材４１の上面がパラペット３に近づくにつれて下方に傾斜しているため、雨水等を周縁部２ａに好適に排水する排水機能をもたせることができるが、周縁部２ａのパラペットに沿う方向にも勾配を設けることにより、より好適に排水機能を発揮させることができる。
【００６３】
具体的には、例えば図１３の変形例に示すように、断熱材４１の高さをパラペット３に沿う横方向についても漸減するようにして、最水下部に設けたドレーンＸに雨水が集まるように構成することで、周縁部２ａの上面に水溜まりが形成されにくくなり、雨水等をより好適にドレーンＸに排出させることができる。なお、周縁部２ａの長さが長すぎることにより所定の勾配を有する周縁部２ａの防水シート面の高さが限度を超えてしまうような場合は、周縁部２ａの断熱材４１の一部については、パラペット３に沿う横方向については傾斜させないようにしたり、ドレーンＸを適宜増設することで対応することができる。
【符号の説明】
【００６４】
１，１Ａ〜１Ｆ…防水構造、２…外部床、２ａ…周縁部、２ｂ…領域、３…パラペット、３ａ…内側面、４…床下地、６…ＡＬＣパネル、７，８…目地モルタル、９…鉄骨梁、１０…外壁パネル、１１，１２，４１，４２，４３…断熱材、１４…防水鋼板（固定具）、１６…固定ビス（ビス）、１７…接着剤、２０…防水シート、５０…目地テープ、Ｓ…隙間。
【図１】
2013036321.tif 000003
【図２】
2013036321.tif 000004
【図３】
2013036321.tif 000005
【図４】
2013036321.tif 000006
【図５】
2013036321.tif 000007
【図６】
2013036321.tif 000008
【図７】
2013036321.tif 000009
【図８】
2013036321.tif 000010
【図９】
2013036321.tif 000011
【図１０】
2013036321.tif 000012
【図１１】
2013036321.tif 000013
【図１２】
2013036321.tif 000014
【図１３】
2013036321.tif 000015
【図１４】
2013036321.tif 000016